【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
遊技球が入球可能な第１入球手段とその第１入球手段とは異なる第２入球手段と、
前記第１入球手段に入球したことに基づいて第１情報を取得し、前記第２入球手段に入球したことに基づいて第２情報を取得する情報取得手段と、
その情報取得手段により取得された前記第１情報または前記第２情報に基づいて判別条件の成立を契機に判別を実行する判別手段と、
前記判別条件が成立するまでの間、前記情報取得手段により取得された前記第１情報と前記第２情報とをそれぞれ記憶可能な情報記憶手段と、
前記判別手段による判別結果を示すための識別情報が表示される表示手段と、
その表示手段に特定の判別結果を示すための前記識別情報が停止表示された場合に、遊技者に有利となる特典遊技を実行する特典遊技実行手段とを有した遊技機において、
所定条件の成立に基づいて、少なくとも第１遊技状態とその第１遊技状態よりも遊技者に有利となる第２遊技状態とを含む複数の遊技状態から一の遊技状態を設定可能な状態設定手段と、
その状態設定手段により前記第１遊技状態が設定されている場合よりも前記第２遊技状態が設定されている場合のほうが、前記第２情報を取得し易くする入球補助手段と、
前記特典遊技実行手段により実行される前記特典遊技の種別として、少なくとも第１特典遊技と、その第１特典遊技よりも遊技者に有利となる第２特典遊技と、を含む複数の前記特典遊技の種別から一の種別を決定可能な種別決定手段と、
前記第１遊技状態である場合には、前記第２情報に基づく判別よりも前記第１情報に基づく判別のほうが前記第２特典遊技を決定し易くし、前記第２遊技状態である場合には、前記第１情報に基づく判別よりも前記第２情報に基づく判別のほうが前記第２特典遊技を決定し易くする決定可変手段と、
前記状態設定手段により前記第１遊技状態が設定されている場合には、前記情報記憶手段に記憶された前記第１情報に基づく前記判別手段による判別結果を示すための識別情報のほうが、前記情報記憶手段に記憶された前記第２情報に基づく前記判別手段による判別結果を示すための識別情報よりも停止表示させ易くなるように設定し、前記状態設定手段により前記第２遊技状態が設定されている場合には、前記情報記憶手段に記憶された前記第２情報に基づく前記判別手段による判別結果を示すための識別情報のほうが、前記情報記憶手段に記憶された前記第１情報に基づく前記判別手段による判別結果を示すための識別情報よりも停止表示させ易くなるように設定する設定手段と、
所定の報知条件が成立した場合に前記設定手段の設定内容を遊技者に報知可能な報知手段と、
前記所定の報知条件を設定する条件設定手段と、を有し、
前記条件設定手段は、前記設定手段の設定内容に応じて前記所定の報知条件を異ならせるものであることを特徴とする遊技機。
【請求項２】
前記表示手段は、液晶ディスプレイで構成されているものであることを特徴とする請求項１記載の遊技機。
【手続補正２】
【補正対象書類名】明細書
【補正対象項目名】０００２
【補正方法】変更
【補正の内容】
【０００２】
パチンコ機等の遊技機には、入球口が複数備えられており、その入球口への遊技球の入賞に基づいて当否が判定され、図柄等が変動表示された後に、その判定結果を示す図柄等が停止表示される。変動表示の実行中に入賞した場合は、当否の判定に用いられる入賞情報等が上限数まで保留エリアに記憶される。
【手続補正３】
【補正対象書類名】明細書
【補正対象項目名】０００３
【補正方法】削除
【補正の内容】
【手続補正４】
【補正対象書類名】明細書
【補正対象項目名】０００５
【補正方法】変更
【補正の内容】
【０００５】
しかしながら、遊技の興趣が低下するという問題点があった。
【手続補正５】
【補正対象書類名】明細書
【補正対象項目名】０００６
【補正方法】変更
【補正の内容】
【０００６】
本発明は上述した問題点等を解決するためになされたものであり、遊技の興趣を向上できる遊技機を提供することを目的としている。
【手続補正６】
【補正対象書類名】明細書
【補正対象項目名】０００７
【補正方法】変更
【補正の内容】
【０００７】
この目的を達成するために請求項１記載の遊技機は、遊技球が入球可能な第１入球手段とその第１入球手段とは異なる第２入球手段と、前記第１入球手段に入球したことに基づいて第１情報を取得し、前記第２入球手段に入球したことに基づいて第２情報を取得する情報取得手段と、その情報取得手段により取得された前記第１情報または前記第２情報に基づいて判別条件の成立を契機に判別を実行する判別手段と、前記判別条件が成立するまでの間、前記情報取得手段により取得された前記第１情報と前記第２情報とをそれぞれ記憶可能な情報記憶手段と、前記判別手段による判別結果を示すための識別情報が表示される表示手段と、その表示手段に特定の判別結果を示すための前記識別情報が停止表示された場合に、遊技者に有利となる特典遊技を実行する特典遊技実行手段とを有し、所定条件の成立に基づいて、少なくとも第１遊技状態とその第１遊技状態よりも遊技者に有利となる第２遊技状態とを含む複数の遊技状態から一の遊技状態を設定可能な状態設定手段と、その状態設定手段により前記第１遊技状態が設定されている場合よりも前記第２遊技状態が設定されている場合のほうが、前記第２情報を取得し易くする入球補助手段と、前記特典遊技実行手段により実行される前記特典遊技の種別として、少なくとも第１特典遊技と、その第１特典遊技よりも遊技者に有利となる第２特典遊技と、を含む複数の前記特典遊技の種別から一の種別を決定可能な種別決定手段と、前記第１遊技状態である場合には、前記第２情報に基づく判別よりも前記第１情報に基づく判別のほうが前記第２特典遊技を決定し易くし、前記第２遊技状態である場合には、前記第１情報に基づく判別よりも前記第２情報に基づく判別のほうが前記第２特典遊技を決定し易くする決定可変手段と、前記状態設定手段により前記第１遊技状態が設定されている場合には、前記情報記憶手段に記憶された前記第１情報に基づく前記判別手段による判別結果を示すための識別情報のほうが、前記情報記憶手段に記憶された前記第２情報に基づく前記判別手段による判別結果を示すための識別情報よりも停止表示させ易くなるように設定し、前記状態設定手段により前記第２遊技状態が設定されている場合には、前記情報記憶手段に記憶された前記第２情報に基づく前記判別手段による判別結果を示すための識別情報のほうが、前記情報記憶手段に記憶された前記第１情報に基づく前記判別手段による判別結果を示すための識別情報よりも停止表示させ易くなるように設定する設定手段と、所定の報知条件が成立した場合に前記設定手段の設定内容を遊技者に報知可能な報知手段と、前記所定の報知条件を設定する条件設定手段と、を有し、前記条件設定手段は、前記設定手段の設定内容に応じて前記所定の報知条件を異ならせるものである。
【手続補正７】
【補正対象書類名】明細書
【補正対象項目名】０００８
【補正方法】変更
【補正の内容】
【０００８】
請求項２記載の遊技機は、請求項１記載の遊技機において、前記表示手段は、液晶ディスプレイで構成されているものである。
【手続補正８】
【補正対象書類名】明細書
【補正対象項目名】０００９
【補正方法】変更
【補正の内容】
【０００９】
請求項１記載の遊技機によれば、遊技球が入球可能な第１入球手段とその第１入球手段とは異なる第２入球手段と、前記第１入球手段に入球したことに基づいて第１情報を取得し、前記第２入球手段に入球したことに基づいて第２情報を取得する情報取得手段と、その情報取得手段により取得された前記第１情報または前記第２情報に基づいて判別条件の成立を契機に判別を実行する判別手段と、前記判別条件が成立するまでの間、前記情報取得手段により取得された前記第１情報と前記第２情報とをそれぞれ記憶可能な情報記憶手段と、前記判別手段による判別結果を示すための識別情報が表示される表示手段と、その表示手段に特定の判別結果を示すための前記識別情報が停止表示された場合に、遊技者に有利となる特典遊技を実行する特典遊技実行手段とを有し、所定条件の成立に基づいて、少なくとも第１遊技状態とその第１遊技状態よりも遊技者に有利となる第２遊技状態とを含む複数の遊技状態から一の遊技状態を設定可能な状態設定手段と、その状態設定手段により前記第１遊技状態が設定されている場合よりも前記第２遊技状態が設定されている場合のほうが、前記第２情報を取得し易くする入球補助手段と、前記特典遊技実行手段により実行される前記特典遊技の種別として、少なくとも第１特典遊技と、その第１特典遊技よりも遊技者に有利となる第２特典遊技と、を含む複数の前記特典遊技の種別から一の種別を決定可能な種別決定手段と、前記第１遊技状態である場合には、前記第２情報に基づく判別よりも前記第１情報に基づく判別のほうが前記第２特典遊技を決定し易くし、前記第２遊技状態である場合には、前記第１情報に基づく判別よりも前記第２情報に基づく判別のほうが前記第２特典遊技を決定し易くする決定可変手段と、前記状態設定手段により前記第１遊技状態が設定されている場合には、前記情報記憶手段に記憶された前記第１情報に基づく前記判別手段による判別結果を示すための識別情報のほうが、前記情報記憶手段に記憶された前記第２情報に基づく前記判別手段による判別結果を示すための識別情報よりも停止表示させ易くなるように設定し、前記状態設定手段により前記第２遊技状態が設定されている場合には、前記情報記憶手段に記憶された前記第２情報に基づく前記判別手段による判別結果を示すための識別情報のほうが、前記情報記憶手段に記憶された前記第１情報に基づく前記判別手段による判別結果を示すための識別情報よりも停止表示させ易くなるように設定する設定手段と、所定の報知条件が成立した場合に前記設定手段の設定内容を遊技者に報知可能な報知手段と、前記所定の報知条件を設定する条件設定手段と、を有し、前記条件設定手段は、前記設定手段の設定内容に応じて前記所定の報知条件を異ならせるものである。
【手続補正９】
【補正対象書類名】明細書
【補正対象項目名】００１１
【補正方法】変更
【補正の内容】
【００１１】
請求項２記載の遊技機によれば、請求項１記載の遊技機の奏する効果に加え、次の効果を奏する。即ち、前記表示手段は、液晶ディスプレイで構成されているものである。よって、多様な表示態様を表示できるという効果がある。
【手続補正１０】
【補正対象書類名】明細書
【補正対象項目名】０４４２
【補正方法】変更
【補正の内容】
【０４４２】
１０                      パチンコ機（遊技機）
６４ａ                    第１入球手段
６４ｂ                    第２入球手段
８１                      第３図柄表示装置（表示手段）
２０３                    ＲＡＭ（情報記憶手段）
Ｓ１０５                  情報取得手段
Ｓ２０４                  設定手段
Ｓ４０２                  判別手段の一部